(57)【要約】【課題】よりきめ細かく空調手段を選択しうる、空調手段制御システム及び空調手段制御方法を提供する【解決手段】複数の空調手段の動作を制御する空調手段制御手段と、複数設定した基準室温、及び、個々の前記空調手段が前記基準室温を所定温度上昇もしくは下降させるのに要する空調手段消費電力を記憶する、記憶手段と、を有し、前記空調手段制御手段は、室温及び目標温度を取得し、前記室温が前記目標温度に達するまでの間に、前記室温が前記基準室温に達するタイミングで、前記室温に対応する前記基準室温を前記所定温度上昇もしくは下降させるのに要する前記空調手段消費電力を前記記憶手段から読み出し、最も前記空調手段消費電力の少ない前記空調手段を選択し、前記室温が前記所定温度上昇もしくは下降するまで選択した前記空調手段を動作させる。【選択図】      図１
2014040976.tif 000002
【特許請求の範囲】
【請求項１】
複数の空調手段の動作を制御する空調手段制御手段と、
複数の基準室温及び個々の前記空調手段が前記基準室温の各々を所定温度上昇もしくは下降させるのに要する空調手段消費電力を記憶する記憶手段と
を有し、
前記空調手段制御手段は、
前記空調手段の空調の対象となる空間の室温が所定の目標温度に達するまでの間に、前記室温が前記基準室温に達するタイミングで、前記室温に対応する前記基準室温を前記所定温度上昇もしくは下降させるのに要する前記空調手段消費電力を前記記憶手段から読み出し、最も前記空調手段消費電力の少ない前記空調手段を選択し、前記室温が前記所定温度上昇もしくは下降するまで選択した前記空調手段を動作させる、
空調手段制御システム。
【請求項２】
請求項１に記載の空調手段制御システムであって、
前記複数の空調手段の少なくとも一つが、複数の空調部を備えていることを特徴とする、
空調手段制御システム。
【請求項３】
請求項１又は２に記載の空調手段制御システムであって、
前記記憶手段は、さらに、個々の前記空調手段が前記基準室温を前記所定温度上昇もしくは下降させるのに要する空調時間を記憶し、
前記空調手段制御手段は、
前記最も消費電力の少ない前記空調手段が複数ある場合には、前記室温に対応する前記基準室温を所定温度上昇もしくは下降させるのに要する前記空調時間を前記記憶手段から読み出し、最も前記空調時間の短い前記空調手段を選択し、前記室温が前記所定温度上昇もしくは下降するまで前記選択した空調手段を動作させることを特徴とする、
空調手段制御システム。
【請求項４】
請求項１又は２に記載の空調手段制御システムであって、
前記記憶手段は、さらに、個々の前記空調手段が前記基準室温を前記所定温度上昇もしくは下降させるのに要する空調手段消費電力量を記憶し、
前記空調手段制御手段は、
前記最も消費電力の少ない前記空調手段が複数ある場合には、前記室温に対応する前記基準室温を所定温度上昇もしくは下降させるのに要する前記空調手段消費電力量を前記記憶手段から読み出し、最も前記空調手段消費電力量の少ない前記空調手段を選択し、前記室温が前記所定温度上昇もしくは下降するまで前記選択した空調手段を動作させることを特徴とする、
空調手段制御システム。
【請求項５】
請求項１乃至４のいずれか１項に記載の空調手段制御システムにおいて、
前記空調手段制御手段は、
前記室温を、順次前記基準温度になるように前記空調手段を動作させ、前記室温が前記基準室温に達するタイミングで、前記空調手段消費電力を算出し、前記記憶手段に記憶することを特徴とする、
空調手段制御システム。
【請求項６】
請求項１乃至５のいずれか１項に記載の空調手段制御システムと、複数の空調手段とを備える、空調システム。
【請求項７】
複数の基準室温及び個々の空調手段が前記基準室温の各々を所定温度上昇もしくは下降させるのに要する空調手段消費電力を参照し、
前記空調手段の空調の対象となる空間の室温が所定の目標温度に達するまでの間に、前記室温が前記基準室温に達するタイミングで、前記室温に対応する前記基準室温を前記所定温度上昇もしくは下降させるのに要する前記空調手段消費電力が最も少ない前記空調手段を選択し、前記室温が前記所定温度上昇もしくは下降するまで選択した前記空調手段を動作させる、
空調手段制御方法。
【請求項８】
請求項７に記載の空調手段制御方法であって、
前記空調手段の少なくとも一つが、複数の空調部を備えていることを特徴とする、
空調手段制御方法。
【請求項９】
請求項７又は８に記載の空調手段制御方法であって、
さらに、前記最も消費電力の少ない前記空調手段が複数ある場合には、前記室温に対応する前記基準室温を所定温度上昇もしくは下降させるのに要する空調時間を参照し、最も前記空調時間の短い前記空調手段を選択し、前記室温が前記所定温度上昇もしくは下降するまで前記選択した空調手段を動作させることを特徴とする、
空調手段制御方法。
【請求項１０】
請求項１又は２に記載の空調手段制御方法であって、
さらに、前記最も消費電力の少ない前記空調手段が複数ある場合には、前記室温に対応する前記基準室温を所定温度上昇もしくは下降させるのに要する前記空調手段消費電力量を参照し、最も前記空調手段消費電力量の少ない前記空調手段を選択し、前記室温が前記所定温度上昇もしくは下降するまで前記選択した空調手段を動作させることを特徴とする、
空調手段制御方法。
【発明の詳細な説明】
【技術分野】
【０００１】
本発明は、空調手段制御システム及び空調手段制御方法に関する。
【背景技術】
【０００２】
エアーコンディショナーやヒーターなどの空調手段は、空調能力、経年劣化等により、消費電力が異なる。また、同じ空調能力、経年劣化等であっても、製造メーカーなどにより、消費電力に差が生じる。例えば、空調対象となる一つの空間に、空調手段が２台設けられている場合を考える。同じ空調対象であっても、一方の空調手段は、２５℃から２４℃に室温を下げる場合に、他方の空調手段より消費電力が少ない場合がある。
【０００３】
したがって、空調対象となる一つの空間に対して、空調手段が複数設けられている場合には、動作する空調手段を適切に選択する、省電力な空調制御システムが求められている。
【０００４】
特許文献１には、複数の冷房機のうち、消費電力の小さな冷房機を選択する空調機制御システムが開示されている。空調機制御システムの演算装置は、２つの冷房機Ａ、Ｂの動作を制御する。演算装置は、２つの冷房機Ａ、Ｂの中から何れかの冷房機を順次選択し、所定の冷房能力を、順次選択した冷房機のみで得るために必要な消費電力である、必要消費電力を、順次選択した冷房機について、予め記憶された関係（消費電力と冷房能力との関係）に基づいて算出する。
【０００５】
図１８は、特許文献１に記載の空調機制御システムにおいて、演算装置に予め記憶されている各冷房機Ａ、Ｂについての消費電力と冷房能力との関係の一例を示す図である。上のグラフは、冷房機Ａについての消費電力と冷房能力との関係の一例を示す。下のグラフは、冷房機Ｂについての消費電力と冷房能力との関係の一例を示す。なお、図１８には、冷房能力／消費電力で算出され冷房機のエネルギー消費効率を意味する冷房ＣＯＰ（Ｃｏｅｆｆｉｃｉｅｎｔ  Ｏｆ  Ｐｅｒｆｏｒｍａｎｃｅ）と冷房能力との関係も併せて図示している。
【０００６】
図１８に示す例では、所定の冷房能力１５．７ｋＷを冷房機Ａのみで得るために必要な必要消費電力として３．４ｋＷが算出される。また、所定の冷房能力１５．７ｋＷを冷房機Ｂのみで得るために必要な必要消費電力として３．０ｋＷが算出される。次に、演算装置は、順次選択した冷房機について算出した必要消費電力を互いに比較して、最も必要消費電力の小さな冷房機を最終的に選択する。図１８に示す例では、冷房機Ａについて算出した必要消費電力３．４ｋＷと、冷房機Ｂについて算出した必要消費電力３．０ｋＷとが比較され、必要消費電力の小さな冷房機Ｂが最終的に選択される。
【先行技術文献】
【特許文献】
【０００７】
【特許文献１】特開２０１１−６４３６７
【発明の概要】
【発明が解決しようとする課題】
【０００８】
しかしながら、特許文献１に記載の空調機制御システムは、下記の問題があった。すなわち、特許文献１に記載の空調機制御システムにおいて、目標温度を設定して動作させる場合に、どのように空調機を選択するかは、記載されていない。空調手段の消費電力は、空調対象となる室温ごとに異なることから、空調能力にのみ基づいて消費電力の小さな冷房機を選択し、選択した冷房機のみを目標温度に達するまで動作させると、空調手段をきめ細かく選択して制御することができない。したがって、特許文献１に記載の空調機制御システムによれば、消費電力を節約することが出来なかった。
【０００９】
本発明の目的は、よりきめ細かく空調手段を選択しうる、空調手段制御システム及び空調手段制御方法を提供することにある。
【課題を解決するための手段】
【００１０】
本発明の空調手段制御システムは、複数の空調手段の動作を制御する空調手段制御手段と、複数設定した基準室温、及び、個々の前記空調手段が前記基準室温を所定温度上昇もしくは下降させるのに要する空調手段消費電力を記憶する、記憶手段と、を有し、前記空調手段制御手段は、室温及び目標温度を取得し、前記室温が前記目標温度に達するまでの間に、前記室温が前記基準室温に達するタイミングで、前記室温に対応する前記基準室温を前記所定温度上昇もしくは下降させるのに要する前記空調手段消費電力を前記記憶手段から読み出し、最も前記空調手段消費電力の少ない前記空調手段を選択し、前記室温が前記所定温度上昇もしくは下降するまで選択した前記空調手段を動作させることを特徴とする。
【００１１】
また、本発明の空調手段制御方法は、室温及び目標温度を取得し、複数設定した基準室温、及び、個々の前記空調手段が前記基準室温を所定温度上昇もしくは下降させるのに要する空調手段消費電力を参照し、前記室温が前記目標温度に達するまでの間に、前記室温が前記基準室温に達するタイミングで、前記室温に対応する前記基準室温を前記所定温度上昇もしくは下降させるのに要する前記空調手段消費電力が最も少ない前記空調手段を選択し、前記室温が前記所定温度上昇もしくは下降するまで選択した前記空調手段を動作させることを特徴とする。
【発明の効果】
【００１２】
本発明によれば、よりきめ細かく空調手段を選択しうる、空調手段制御システム及び空調手段制御方法が提供される。
【図面の簡単な説明】
【００１３】
【図１】第1の実施形態に係る空調手段制御システムのブロック図である。
【図２】第１の実施形態に係る空調手段制御システムの、第１の空調手段の基準室温及び空調手段消費電力テーブルである。
【図３】第１の実施形態に係る空調手段制御システムの、第２の空調手段の基準室温及び空調手段消費電力テーブルである。
【図４】第１の実施形態に係る空調手段制御システムの動作の一例を示すフローチャートである。
【図５】第１の実施形態に係る空調手段制御システムの動作の一例を示すフローチャートである。
【図６】第１の実施形態に係る空調手段制御システムの動作の一例を示すフローチャートである。
【図７】第１の実施形態に係る空調手段制御システムの動作の一例を示すフローチャートである。
【図８】第２の実施形態に係る空調手段制御システムの、複数の空調手段を同時に動作させた場合の基準室温及び空調手段消費電力テーブルである。
【図９】第２の実施形態に係る空調手段制御システムの、空調手段制御システムの動作の一例を示すフローチャートである。
【図１０】第３の実施形態に係る空調手段制御システムの、第１の空調手段の基準室温、空調手段消費電力、及び空調時間テーブルである。
【図１１】第３の実施形態に係る空調手段制御システムの、第２の空調手段の基準室温、空調手段消費電力、及び空調時間テーブルである。
【図１２】第３の実施形態に係る空調手段制御システムの動作の一例を示すフローチャートである。
【図１３】第３の実施形態に係る空調手段制御システムの、第１の空調手段の基準室温、空調手段消費電力、及び空調手段消費電力量テーブルである。
【図１４】第３の実施形態に係る空調手段制御システムの、第２の空調手段の基準室温、空調手段消費電力、及び空調手段消費電力量テーブルである。
【図１５】第４の実施形態に係る空調手段制御システムの動作の一例を示すフローチャートである。
【図１６】第５の実施形態に係る空調手段制御システムの動作の一例を示すフローチャートである。
【図１７】第６の実施形態に係る空調システムの一例を示すブロック図である。
【図１８】特許文献１に係る空調機制御システムにおける、冷房機の消費電力と冷房能力との関係を示す図である。
【発明を実施するための形態】
【００１４】
［第1の実施形態］
図１〜７を参照し、第１の実施形態に係る空調手段制御システムについて説明する。図１は、第１の実施形態に係る空調手段制御システムのブロック図である。図１に示されるように、本発明の第1の実施形態に係る空調手段制御システム１は、空調手段制御手段１０と、記憶手段２０からなる。
【００１５】
空調手段制御手段１０は、図示されていない複数の空調手段の動作を制御する。空調手段は、例えば、空調対象となる空間の室温を上昇下降させることができる、エアーコンディショナーでもよいし、下降させることのみできるクーラー、上昇させることのみできるヒーターでも良い。空調手段制御手段１０は、空調手段と直接接続することにより、動作を制御することができる。また、空調手段制御手段１０は、空調手段制御手段１０および空調手段のそれぞれに通信手段を設け、有線もしくは無線で接続することにより、空調手段を制御しても良い。
【００１６】
また、空調手段制御手段１０は、空調手段制御手段１０が制御する空調手段が空調を行う対象となる空間の室温を取得することができる。例えば、室温を取得することができる室温センサーを空調手段制御手段１０に設け、室温を取得しても良い。また、空調手段に設けられている室温センサーが取得した室温を、空調手段制御手段１０が取得するようにしても良い。
【００１７】
また、空調手段制御手段１０は、目標温度を取得する。目標温度とは、空調手段を動作させて室温を変化させる際に、目標となる室温を意味する。目標温度は、例えば空調手段のユーザーが、任意の温度を設定しても良いし、室温に応じて自動的に設定されるようにしても良い。目標温度は、空調手段制御システム１に目標温度入力手段を別途設けて、ユーザーなどが目標温度入力手段に入力する目標温度を取得してもよい。
【００１８】
記憶手段２０は、情報を記憶することができ、フラッシュメモリーやハードディスクドライブ等、種々の記憶手段を用いることができる。空調手段制御手段１０は、記憶手段２０に情報を記憶し、記憶された情報を読み出すことができる。
【００１９】
記憶手段２０には、複数設定した基準室温、及び、個々の空調手段が基準室温を所定温度上昇もしくは下降させるのに要する空調手段消費電力が記憶されている。以下では、空調手段制御手段１０が、二つの空調手段、すなわち、第１の空調手段及び第２の空調手段を制御する場合を例に説明をする。
【００２０】
図２は、第１の実施形態に係る空調手段制御システム１の、第１の空調手段の基準室温及び空調手段消費電力テーブルである。左側のテーブルは、第１の空調手段が室温を上昇させる場合の空調手段消費電力テーブルであり、右側のテーブルは、第１の空調手段が室温を下降させる場合の空調手段消費電力テーブルである。
【００２１】
それぞれの空調手段消費電力テーブルには、基準室温の列、及び、基準室温に対応して、基準室温を所定温度下降（上昇）させるのに要する空調手段消費電力の列が設けられている。図２では、所定温度は１℃である。基準室温とは、空調対象となる空間の室温を表す。基準室温は複数設定され、図２のように、一定の間隔で複数設けることができる。また、基準室温は、空調手段が利用されることが多い温度については狭い間隔で、利用されることが少ない温度については広い間隔で設けてもよい。空調手段消費電力とは、空調手段を動作させる際に要する消費電力を表す。
【００２２】
例えば、第１の空調手段のみを用いて、室温を２７℃から２６℃に下降させるのに要する空調手段消費電力は、３１０Ｗとなる。また、室温を２２℃から２３℃に上昇させるのに要する空調手段消費電力は、２７０Ｗとなる。
【００２３】
図３は、第1の実施形態に係る空調手段制御システム１の、第２の空調手段の基準室温及び空調手段消費電力テーブルである。左側のテーブルは、第２の空調手段が室温を上昇させる場合の空調手段消費電力テーブルであり、右側のテーブルは、第２の空調手段が室温を下降させる場合の空調手段消費電力テーブルである。
【００２４】
例えば、第２の空調手段のみを用いて、室温を２７℃から２６℃に下降させるのに要する空調手段消費電力は、３１５Ｗとなる。また、室温を２２℃から２３℃に上昇させるのに要する空調手段消費電力は、２８０Ｗとなる。
【００２５】
次に、本発明の第１の実施形態に係る、空調手段制御システム１の動作について、図４〜７を用いて説明する。図４は、第１の実施形態に係る空調手段制御システム１の動作の一例を示すフローチャートであり、室温を下降させる場合の空調手段制御システム１の動作を示す。
【００２６】
空調手段制御システム１の空調手段制御手段１０は、目標温度を取得し（Ｓ１０１）、室温を取得する（Ｓ１０２）。次に、空調手段制御手段１０は、室温に対応する基準室温を１℃下降させるのに要する個々の空調手段ごとの空調手段消費電力を記憶手段２０から読み出して、取得する（Ｓ１０３）。
【００２７】
例えば、室温が２７℃であれば、対応する基準室温は２７℃となる。図２の左側のテーブルを参照して、第１の空調手段のみを用いて、基準室温である２７℃を１℃下降させるのに要する空調手段消費電力である「３１０Ｗ」を取得する。また、図３の左側のテーブルを参照して、第２の空調手段のみを用いて、基準室温である２７℃を１℃下降させるのに要する空調手段消費電力である「３１５Ｗ」を取得する。
【００２８】
次に、空調手段制御手段１０は、空調手段を選択して動作させる（Ｓ１０４）。図７は、第1の実施形態に係る空調手段制御システム１の動作の一例を示すフローチャートであり、Ｓ１０４の詳細を示すものである。Ｓ１０４は、Ｓ４０１〜４０３の処理からなる。
【００２９】
空調手段制御手段１０が室温に対応する基準室温を１℃下降させるのに要する空調手段消費電力を記憶手段２０から読み出して、取得すると（Ｓ１０３）、空調手段制御手段１０は、第１の空調手段の空調手段消費電力が、第２の空調手段の空調手段消費電力以上であるかを比較する（Ｓ４０１）。空調手段制御手段１０は、第１の空調手段の空調手段消費電力が、第２の空調手段の空調手段消費電力以上であれば（ＹＥＳ）、第２の空調手段を動作させ、第１の空調手段が動作していれば、第１の空調手段を停止させる（Ｓ４０２）。第１の空調手段の空調手段消費電力が、第２の空調手段の空調手段消費電力以上でなければ（ＮＯ）、第１の空調手段を動作させ、第２の空調手段が動作していれば、第２の空調手段の動作を停止させる（Ｓ４０３）。
【００３０】
例えば、基準室温が２７℃であれば、空調手段制御手段１０は、第１の空調手段の空調手段消費電力である「３１０Ｗ」及び第２の空調手段の空調手段消費電力である「３１５Ｗ」を取得する（Ｓ１０３）。空調手段制御手段１０は、第１の空調手段の空調手段消費電力は、第２の空調手段の空調手段消費電力以上でないから（Ｓ４０１、ＮＯ）、第１の空調手段を動作させ、第２の空調手段が動作していれば、第２の空調手段の動作を停止させる（Ｓ４０３）。
【００３１】
再び図４を参照して、Ｓ１０５以降の第１の実施形態に係る空調手段制御システム１の動作を説明する。空調手段制御手段１０は、空調手段を選択して動作して動作させると（Ｓ１０４）、室温を取得し（Ｓ１０５）、Ｓ１０２で取得した室温から１℃以上下降したかを判断する（Ｓ１０６）。１℃以上下降していなければ（ＮＯ）、選択した空調手段の動作を継続し、Ｓ１０５、Ｓ１０６の処理を繰り返す。このような動作をすることにより、室温が１℃下降するまで、選択した空調手段に動作を行わせる。
【００３２】
Ｓ１０２で取得した室温が１℃以上下降していた場合は（ＹＥＳ）、空調手段制御手段１０は、室温が目標温度になったか判断する（Ｓ１０７）。Ｓ１０５で取得した室温が目標温度に達していない場合は（ＮＯ）、空調手段制御手段１０は、再びＳ１０２〜Ｓ１０７の処理をする。このような動作をすることにより、室温が目標温度に達するまで、室温が基準室温に達するタイミングで、最も空調手段消費電力の少ない空調手段を選択し、室温が１℃下降するまで、選択した空調手段に動作を行わせることができる。
【００３３】
Ｓ１０５で取得した室温が目標温度に達している場合は（ＹＥＳ）、空調手段制御手段１０は、空調手段の動作を停止するか判断する。動作の停止とは、ユーザーが空調手段制御手段１０もしくは空調手段に空調手段の動作の停止を指示されるものでもよいし、タイマー等によりあらかじめ設定されものであっても良い。空調手段制御手段１０は、動作を停止しない場合は（ＮＯ）、最後に選択した空調手段のまま動作を継続し、動作を停止する場合は（ＹＥＳ）、空調手段の動作を停止する（Ｓ１０９）。このような動作をすることにより、目標温度に達した後は、選択した空調手段を動作させ続けることができる。
【００３４】
図５は、第１の実施形態に係る空調手段制御システム１の動作の一例を示すフローチャートであり、室温を上昇させる場合の空調手段制御システムの動作を示す。動作については、図４で示した空調手段制御システムと同様である。
【００３５】
図６は、第１の実施形態に係る空調手段制御システム１の動作の一例を示すフローチャートである。図４及び５で示した空調手段制御システムの動作と異なる点は、目標温度と室温を取得した上で（Ｓ３０１、３０２）、室温と目標温度を比較して（Ｓ３０３）、室温を下降させるか（ＹＥＳ）、上昇させるか（ＮＯ）を判断している点にある。このような構成を採用することで、室温を下降させるか上昇させるかを予め設定する必要が無くなる。
【００３６】
本発明の第１の実施形態に係る空調手段制御システム１は、以上のような構成を採用する。図２及び図３に記載のように、空調手段の消費電力は、空調対象となる空間の室温ごとに異なる。本発明の第１の実施形態に係る空調手段制御システム１によれば、複数の空調手段を、室温に応じてきめ細かく選択して、選択した空調手段動作を制御することができ、消費電力を抑えることが可能となる。
【００３７】
［第２の実施形態］
図８及び図９を参照し、本発明の第２の実施形態に係る空調手段制御システム１について説明する。第２の実施形態に係る空調手段制御システム１の記憶手段２０は、個々の空調手段の空調手段消費電力に加えて、複数の空調手段が同時に動作する場合の空調手段消費電力を記憶することを特徴とする。また、本発明の第２の実施形態に係る空調手段制御システム１の空調手段制御手段１０は、最も空調手段消費電力の少ない空調手段として複数の空調手段を選択する。そして、空調手段制御手段１０は、室温が所定温度上昇もしくは下降するまで選択した複数の空調手段を同時に動作させることを特徴とする。
【００３８】
図８は、第２の実施形態に係る空調手段制御システム１の、複数の空調手段が同時に動作する場合の基準室温及び空調手段消費電力テーブルである。図８に示されるのは、第１の空調手段および第２の空調手段を同時に動作させ場合の基準室温及び空調手段消費電力テーブルである。この空調手段消費電力テーブルには、複数の空調手段を同時に動作させた場合に要する空調手段消費電力が、基準室温と対応づけて記録されている。
【００３９】
次に図９を参照して、本発明の第２の実施形態に係る空調手段制御システム１の動作について説明する。図９は、第２の実施形態に係る空調手段制御システム１の、空調手段制御手段１０の動作の一例を示すフローチャートである。第２の実施形態に係る空調手段制御システム１と第１の実施形態に係る空調手段制御システム１との相違点は、図４のＳ１０４、図５のＳ２０４、図６のＳ３０５及びＳ３１２の動作であり、その他の動作は図４、５、６に示された内容と同じである。第２の実施形態に係る空調手段制御システム１のＳ１０４、Ｓ２０４、Ｓ３０５及びＳ３１２の処理は、Ｓ５０１〜Ｓ５０６からなる。
【００４０】
空調手段制御手段１０は、室温に対応する基準室温を１℃下降（上昇）させるのに要する空調手段消費電力を記憶手段２０から読み出して、取得する（Ｓ１０３、Ｓ２０３、Ｓ３０４、Ｓ３１１）。次に、空調手段制御手段１０は、第１の空調手段の空調手段消費電力が、第２の空調手段の空調手段消費電力以上であるかを比較する（Ｓ５０１）。第１の空調手段の空調手段消費電力が、第２の空調手段の空調手段消費電力以上であれば（ＹＥＳ）、第２の空調手段の空調手段消費電力が、複数の空調手段の空調手段消費電力以上であるかを比較する（Ｓ５０２）。第２の空調手段の消費電力が複数の空調手段の空調手段消費電力以上であれば（ＹＥＳ）、複数の空調手段を動作させる（Ｓ５０４）。空調手段制御手段１０は、第２の空調手段の空調手段消費電力が、複数の空調手段の空調手段消費電力以上でなければ（ＮＯ）、第２の空調手段を動作させ、第１の空調手段が動作していれば、第１の空調手段の動作を停止させる（Ｓ５０３）。
【００４１】
Ｓ５０１において、空調手段制御手段１０は、第１の空調手段の空調手段消費電力が、第２の空調手段の空調手段消費電力以上でなければ（ＮＯ）、第１の空調手段の空調手段消費電力が、複数の空調手段の空調手段消費電力以上であるかを比較する（Ｓ５０５）。空調手段制御手段１０は、第１の空調手段の消費電力が複数の空調手段の空調手段消費電力以上であれば（ＹＥＳ）、複数の空調手段を動作させる（Ｓ５０４）。空調手段制御手段１０は、第１の空調手段の空調手段消費電力が、全ての空調手段の空調手段消費電力以上でなければ（ＮＯ）、第１の空調手段を動作させ、第２の空調手段が動作していれば、第２の空調手段の動作を停止させる（Ｓ５０６）。
【００４２】
以上のように本発明の第２の実施形態に係る空調手段制御システム１によれば、個々の空調手段の空調手段消費電力に加え、複数の空調手段を同時に動作させた場合の空調手段消費電力を含め、空調手段消費電力を比較する。また、複数の空調手段を同時に動作させた場合の空調手段消費電力が最も少ない場合には、複数の空調手段を選択し、同時に動作させることができる。このような構成を採用することにより、第１の実施形態に比べ、さらに消費電力を少なくすることができる場合がある。
【００４３】
［第３の実施形態］
図１０〜１２を参照し、本発明の第３の実施形態に係る空調手段制御システム１について説明する。第３の実施形態に係る空調手段制御システム１の記憶手段２０は、基準室温、空調手段の空調手段消費電力に加えて、空調手段が基準室温を所定温度上昇もしくは下降させるのに要する空調時間を記憶することを特徴とする。また、本発明の第３の実施形態に係る空調手段制御システム１の空調手段制御手段１０は、最も消費電力の少ない空調手段が複数ある場合には、室温に対応する基準室温を所定温度上昇もしくは下降させるのに要する空調時間を記憶手段２０から読み出す。そして、最も空調時間の短い空調手段を選択し、室温が所定温度上昇もしくは下降するまで選択した空調手段を動作させることを特徴とする。
【００４４】
図１０は、第３の実施形態に係る空調手段制御システム１の、第１の空調手段の基準室温、空調手段消費電力、及び空調時間テーブルである。左側のテーブルは、第１の空調手段が室温を下降させる場合の基準室温、空調手段消費電力、及び空調時間テーブルである。右側のテーブルは、第１の空調手段が室温を上昇させる場合の基準室温、空調手段消費電力、及び空調時間テーブルである。
【００４５】
それぞれの基準室温及び空調時間テーブルには、基準室温の列、空調手段消費電力の列、及び、基準室温に対応して、基準室温から１℃下降（上昇）するのに要する空調時間の列が設けられている。空調時間とは、空調手段が動作する時間を表す。
【００４６】
例えば、第１の空調手段のみを用いて、室温を２７℃から２６℃に下降させるのに要する空調時間は、５秒となる。また、室温を２２℃から２３℃に上昇させるのに要する空調時間は、８秒となる。
【００４７】
図１１は、第３の実施形態に係る空調手段制御システム１の、第２の空調手段が第２の空調手段の基準室温、空調手段消費電力、及び空調時間テーブルである。左側のテーブルは、第２の空調手段が室温を下降させる場合の基準室温、空調手段消費電力、及び空調時間テーブルである。右側のテーブルは、第２の空調手段が室温を上昇させる場合の基準室温、空調手段消費電力、及び空調時間テーブルである。
【００４８】
例えば、第２の空調手段のみを用いて、室温を２７℃から２６℃に下降させるのに要する空調時間は、６秒となる。また、室温を２２℃から２３℃に上昇させるのに要する空調時間は、８秒となる。
【００４９】
次に図１２を参照して、本発明の第３の実施形態に係る空調手段制御システム１の動作について説明する。第３の実施形態に係る空調手段制御システムと第１の実施形態に係る空調手段制御システム１との相違点は、図４のＳ１０４、図５のＳ２０４、図６のＳ３０５及びＳ３１２の動作であり、その他の動作は図４、５、６に示された内容と同じである。第３の実施形態に係る空調手段制御システム１のＳ１０４、Ｓ２０４、Ｓ３０５及びＳ３１２の処理は、Ｓ６０１〜Ｓ６０８からなる。
【００５０】
空調手段制御手段１０が室温に対応する基準室温を１℃下降させるのに要する空調手段消費電力を記憶手段２０から読み出して、取得すると（Ｓ１０３、Ｓ２０３、Ｓ３０４、Ｓ３１１）、空調手段制御手段１０は、第１の空調手段の空調手段消費電力が、第２の空調手段の空調手段消費電力より多いかを比較する（Ｓ６０１）。空調手段制御手段１０は、第１の空調手段の空調手段消費電力が、第２の空調手段の空調手段消費電力より多ければ（ＹＥＳ）、第２の空調手段を動作させ、第１の空調手段が動作していれば、第１の空調手段を停止させる（Ｓ６０２）。
【００５１】
第１の空調手段の空調手段消費電力が、第２の空調手段の空調手段消費電力より多くなければ（ＮＯ）、空調手段制御手段１０は、第２の空調手段の空調手段消費電力が、第１の空調手段の空調手段消費電力より多いか比較する（Ｓ６０３）。空調手段制御手段１０は、第２の空調手段の空調手段消費電力が、第１の空調手段の空調手段消費電力より多ければ（ＹＥＳ）、第１の空調手段を動作させ、第２の空調手段が動作していれば、第２の空調手段を停止させる（Ｓ６０４）。第２の空調手段の空調手段消費電力が、第１の空調手段の空調手段消費電力より多くない場合（ＮＯ）、すなわち、第１の空調手段の空調手段消費能力と第２の空調手段の空調手段消費電力が等しい場合は、空調手段制御手段１０は、以下の比較を行う。
【００５２】
空調手段制御手段１０は、室温に対応する基準室温を１℃下降させるのに要する空調時間を記憶手段２０から読み出して取得し（Ｓ６０５）、第１の空調手段の空調時間が、第２の空調手段の空調時間以上かを比較する（Ｓ６０６）。第１の空調手段の空調時間が、第２の空調手段の空調時間以上である場合は、第２の空調手段を動作させ、第１の空調手段が動作していれば、第１の空調手段を停止させる（Ｓ６０７）。第１の空調手段の空調時間が、第２の空調手段の空調時間以上でない場合は、第１の空調手段を動作させ、第２の空調手段が動作していれば、第２の空調手段を停止させる（Ｓ６０８）。
【００５３】
以上のように本実施形態の空調手段制御システム１によれば、最も消費電力の少ない前記空調手段が複数ある場合には、当該複数の空調手段のうち最も空調時間の短い空調手段を選択し、室温が所定温度上昇もしくは下降するまで選択した空調手段を動作させる。このような構成を採用することにより、第１の実施形態に係る空調手段制御システム１と比べ、空調を行う時間を短くすることができる場合がある。
【００５４】
［第４の実施形態］
図１３〜１５を参照し、本発明の第４の実施形態に係る空調手段制御システム１について説明する。第４の実施形態に係る空調手段制御システムの記憶手段２０は、個々の前記空調手段の空調手段消費電力に加えて、個々の空調手段が基準室温を所定温度上昇もしくは下降させるのに要する空調手段消費電力量を記憶することを特徴とする。また、本発明の第４の実施形態に係る空調手段制御システム１の空調手段制御手段１０は、最も消費電力の少ない空調手段が複数ある場合には、室温に対応する基準室温を所定温度上昇もしくは下降させるのに要する空調手段消費電力量を記憶手段２０から読み出す。そして、最も空調手段消費電力量の少ない空調手段を選択し、室温が前記所定温度上昇もしくは下降するまで選択した空調手段を動作させることを特徴とする。
【００５５】
図１３は、第４の実施形態に係る空調手段制御システム１の、第１の空調手段の基準室温、空調手段消費電力、及び空調時間消費電力量テーブルである。左側のテーブルは、第１の空調手段が室温を下降させる場合の基準室温、空調手段消費電力、及び空調時間消費電力量テーブルであり、右側のテーブルは、第１の空調手段が室温を上昇させる場合の基準室温、空調手段消費電力、及び空調時間消費電力量テーブルである。
【００５６】
それぞれの基準室温及び空調時間テーブルには、基準室温の列、空調手段消費電力の列、及び、基準室温に対応して、基準室温から１℃下降（上昇）するのに要する空調時間消費電力量の列が設けられている。空調時間消費電力量とは、空調手段が消費する電力量を表す。
【００５７】
例えば、第１の空調手段のみを用いて、室温を２７℃から２６℃に下降させるのに要する空調時間消費電力量は、１８６０Ｗｓとなる。また、室温を２２℃から２３℃に上昇させるのに要する空調時間消費電力量は、２１６０Ｗｓとなる。
【００５８】
図１４は、第４の実施形態に係る空調手段制御システム１の、第２の空調手段の基準室温、空調手段消費電力、及び空調時間消費電力量テーブルである。左側のテーブルは、第２の空調手段が室温を下降させる場合の基準室温、空調手段消費電力、及び空調時間消費電力量テーブルであり、右側のテーブルは、第２の空調手段が室温を上昇させる場合の基準室温、空調手段消費電力、及び空調時間消費電力量テーブルである。
【００５９】
例えば、第２の空調手段のみを用いて、室温を２７℃から２６℃に下降させるのに要する空調時間消費電力量は、１８９０Ｗｓとなる。また、室温を２２℃から２３℃に上昇させるのに要する空調時間消費電力量は、２２４０Ｗｓとなる。
【００６０】
次に図１５を参照して、本発明の第４の実施形態に係る空調手段制御システム１の動作について説明する。第４の実施形態に係る空調手段制御システム１と第１の実施形態に係る空調手段制御システム１との相違点は、図４のＳ１０４、図５のＳ２０４、図６のＳ３０５及びＳ３１２の動作であり、その他の動作は図４、５、６に示された内容と同じである。第４の実施形態に係る空調手段制御システム１のＳ１０４、Ｓ２０４、Ｓ３０５、Ｓ３１２の処理は、Ｓ７０１〜Ｓ７０８からなる。
【００６１】
空調手段制御手段１０は、室温に対応する基準室温を１℃下降させるのに要する空調手段消費電力を記憶手段２０から読み出して、取得する（Ｓ１０３、Ｓ２０３、Ｓ３０４、Ｓ３１１）。空調手段制御手段１０は、第１の空調手段の空調手段消費電力が、第２の空調手段の空調手段消費電力より多いかを比較する（Ｓ７０１）。空調手段制御手段１０は、第１の空調手段の空調手段消費電力が、第２の空調手段の空調手段消費電力より多ければ（ＹＥＳ）、第２の空調手段を動作させ、第１の空調手段が動作していれば、第１の空調手段を停止させる（Ｓ７０２）。
【００６２】
第１の空調手段の空調手段消費電力が、第２の空調手段の空調手段消費電力より多くなければ（ＮＯ）、第２の空調手段の空調手段消費電力が、第１の空調手段の空調手段消費電力より多いか比較する（Ｓ７０３）。空調手段制御手段１０は、第２の空調手段の空調手段消費電力が、第１の空調手段の空調手段消費電力より多ければ（ＹＥＳ）、第１の空調手段を動作させ、第２の空調手段が動作していれば、第２の空調手段を停止させる（Ｓ７０４）。第２の空調手段の空調手段消費電力が、第１の空調手段の空調手段消費電力より多くない場合（ＮＯ）、すなわち、第１の空調手段の空調手段消費能力と第２の空調手段の空調手段消費電力が等しい場合は以下の比較を行う。
【００６３】
空調手段制御手段１０は、室温に対応する基準室温を１℃下降させるのに要する空調手段消費電力量を記憶手段２０から読み出して取得し（Ｓ７０５）、第１の空調手段の空調手段消費電力量が、第２の空調手段の空調手段消費電力量以上であるかを比較する（Ｓ７０６）。第１の空調手段の空調時間が、第２の空調手段の空調時間以上である場合は、第２の空調手段を動作させ、第１の空調手段が動作していれば、第１の空調手段を停止させる（Ｓ７０７）。第１の空調手段の空調手段消費電力量が、第２の空調手段の空調手段消費電力量以上でない場合は、第１の空調手段を動作させ、第２の空調手段が動作していれば、第２の空調手段を停止させる（Ｓ７０８）。
【００６４】
以上のように本実施形態に係る空調手段制御システム１によれば、最も消費電力の少ない空調手段が複数ある場合には、当該複数の空調手段のうち、最も空調手段消費電力量の短い空調手段を選択する。そして、室温が所定温度上昇もしくは下降するまで選択した空調手段を動作させる。このような構成を採用することにより、第１の実施形態に係る空調手段制御システム１と比べ、空調時間消費電力量を少なくすることができる場合がある。
【００６５】
［第５の実施形態］
図１６を参照し、本発明の第５の実施形態に係る空調手段制御システム１について説明する。第４の実施形態に係る空調手段制御システムの空調手段制御手段１０は、室温を、順次基準室温になるように空調手段を動作させ、室温が基準室温に達するタイミングで、空調手段消費電力を算出し、記憶手段２０に記憶することを特徴とする。すなわち、本発明の第５の実施形態に係る空調手段制御システム１の空調手段制御手段１０は、空調手段の基準室温及び空調手段消費電力テーブルを、空調手段の動作を制御することによって作成し、記憶手段２０に記憶させる。
【００６６】
図１６は、第５の実施形態に係る空調手段制御システム１の動作の一例を示すフローチャートである。図１６を参照し、第５の実施形態に係る空調手段制御システム１の動作を説明する。
【００６７】
まず、空調手段制御手段１０は、目標温度を空調手段が設定しうる最低の温度に設定して、室温が目標温度になるように空調手段を動作させる（Ｓ８０１）。Ｓ８０１の動作は、複数の空調手段に同時に行わせても良いし、一つの空調手段を動作させても良い。空調手段制御手段１０は、室温を取得し（Ｓ８０２）、室温が目標温度に達したかを判断する（Ｓ８０３）。達していない場合には（ＮＯ）、Ｓ８０２、Ｓ８０３の処理を繰り返す。
【００６８】
室温が目標温度に達した場合には（ＹＥＳ）、空調手段制御手段１０は、目標温度を最高にして、複数の空調手段のうちいずれか１つを選択し、室温が目標温度になるように空調手段を動作させる（Ｓ８０４）。その後、空調手段制御手段１０は室温を取得し（Ｓ８０５）、Ｓ８０５で取得した室温がＳ８０２で取得した室温から１℃上昇したか判断する（Ｓ８０６）。Ｓ８０６の判断は、図１６では１℃の変化で判断をしているが、基準室温の間隔で任意に設定することができる。基準室温を２℃間隔で設定したい場合は、Ｓ８０６の処理は、Ｓ８０５で取得した室温がＳ８０２で取得した室温から２℃上昇したか判断するようにすることができる。
【００６９】
Ｓ８０６において、Ｓ８０５で取得した室温がＳ８０２で取得した室温から１℃上昇していると判断されれば（ＹＥＳ）、選択した空調手段がＳ８０２で取得した室温を１℃上昇するのに必要な消費電力として取得し、Ｓ８０２で取得した室温に対応する基準室温と対応させて、記憶手段２０に記憶する。１℃上昇していると判断されなければ（ＮＯ）、Ｓ８０５、Ｓ８０６の処理を繰り返す。
【００７０】
次に、Ｓ８０５で取得した室温が目標温度に達しているか、判断する（Ｓ８０８）。Ｓ８０５で取得した室温が目標温度に達していない場合は（ＮＯ）、再びＳ８０５〜Ｓ８０８の処理を繰り返す。このような動作をすることにより、基準室温毎に、選択した空調手段が室温を１℃上昇させるのに必要な空調手段消費電力を取得することができる。なお、２回目以降のＳ８０６、Ｓ８０７の処理は、Ｓ８０２で取得した室温に代えて、前回のＳ８０５で取得した室温を用いる。
【００７１】
Ｓ８０５で取得した室温が目標温度に達した場合には（ＹＥＳ）、空調手段制御手段１０は、目標温度を最低にして、室温が目標温度になるように選択した空調手段を動作をさせる（Ｓ８０９）。その後、空調手段制御手段１０は室温を取得し（Ｓ８１０）、Ｓ８１０で取得した室温が最後にＳ８０５で取得した室温から１℃下降したか判断する（Ｓ８１１）。
【００７２】
Ｓ８１１において、Ｓ８１０で取得した室温が最後にＳ８０５で取得した室温から１℃下降していると判断されれば（ＹＥＳ）、選択した空調手段が室温を１℃下降させるのに必要な消費電力を取得し、最後にＳ８０５で取得した室温に対応する基準室温と対応させて、記憶手段２０に記憶する。１℃下降していると判断されなければ（ＮＯ）、Ｓ８１０、Ｓ８１１の処理を繰り返す。
【００７３】
次に、Ｓ８１０で取得した室温が目標温度に達しているか、判断する（Ｓ８１３）。目標温度に達していない場合は（ＮＯ）、再びＳ８１０〜Ｓ８１３の処理を繰り返す。このような動作をすることにより、基準室温毎に、選択した空調手段が室温を１℃下降させるのに必要な空調手段消費電力を取得することができる。なお、２回目以降のＳ８１１、Ｓ８１２の処理は、最後にＳ８０５で取得した室温に代えて、前回のＳ８１０で取得した室温を用いる。Ｓ８１０で取得した室温が、目標温度に達した場合は（ＹＥＳ）、空調手段の動作を終了させる。
【００７４】
以上のように本発明の第４の実施形態に係る空調手段制御システム１によれば、空調手段の基準室温及び空調手段消費電力テーブルを、空調手段の動作を制御することによって作成することができる。
【００７５】
［第６の実施形態］
図１７を参照し、本発明の第６の実施形態に係る空調システムについて説明する。本発明の第６の実施形態に係る空調システムは、第１〜５の実施形態にかかる空調手段制御システム１と、複数の空調手段（３１、３２）とを有する。
【００７６】
空調手段制御システム１の空調手段制御手段１０は、空調手段と直接接続することで、動作を制御することができる。または、空調手段制御手段１０および空調手段のそれぞれに通信部を設け、有線もしくは無線で接続することで、空調手段を制御することができる。
【００７７】
このような構成を有することにより、よりきめ細かく空調手段を選択しうる、空調システムを提供することができる。
【００７８】
本発明の空調手段制御システム及び空調手段制御方法は、上記実施形態に基づいて説明されているが、上記実施形態に限定されることなく、本発明の範囲内において、かつ本発明の基本的技術思想に基づいて、上記実施形態に対し種々の変形、変更及び改良を含むことができることはいうまでもない。また、本発明の請求の範囲の枠内において、種々の開示要素の多様な組み合わせ・置換ないし選択が可能である。本発明のさらなる課題、目的及び展開形態は、請求の範囲を含む本発明の全開示事項からも明らかにされる。
【符号の説明】
【００７９】
１    空調手段制御システム
２    空調システム
１０  空調手段制御手段
２０  記憶手段
３１  空調手段
３２  空調手段
【図１】
2014040976.tif 000003
【図２】
2014040976.tif 000004
【図３】
2014040976.tif 000005
【図４】
2014040976.tif 000006
【図５】
2014040976.tif 000007
【図６】
2014040976.tif 000008
【図７】
2014040976.tif 000009
【図８】
2014040976.tif 000010
【図９】
2014040976.tif 000011
【図１０】
2014040976.tif 000012
【図１１】
2014040976.tif 000013
【図１２】
2014040976.tif 000014
【図１３】
2014040976.tif 000015
【図１４】
2014040976.tif 000016
【図１５】
2014040976.tif 000017
【図１６】
2014040976.tif 000018
【図１７】
2014040976.tif 000019
【図１８】
2014040976.tif 000020